(57)【要約】      （修正有）【課題】単純な形状でなり、高速機械を用いても、簡単且つ廉価な製造を可能にする、サニタリーバッグを提供すること。【解決手段】身体部分、特に陰茎の少なくとも一部を収容するためのサニタリーバッグ１であって、少なくとも、それぞれが四角形を有し且つ折り畳み線Ｆ２に沿って折り畳まれた２つの分割部分を有する１つの裁断部から成っており、前記２つの分割部分はそれぞれ、前記折り畳み線Ｆ２から、当該分割部分の、前記折り畳み線とは反対の側の縁部（４，５，６，７ａ，７ｂ）まで、同じ長さを有しており、前記裁断部の内側に、吸収パッドが配置されているという点において優れたものである。また、単純な幾何学形状から成っており、高速機械を用いても、簡単且つ廉価な製造が可能になる点にある。【選択図】図１
2018187428.tif 000002
【特許請求の範囲】
【請求項１】
身体部分、特に陰茎の少なくとも一部を収容するためのサニタリーバッグであって、少なくとも、それぞれが四角形を有し且つ折り畳み線（Ｆ１，Ｆ２）に沿って折り畳まれた２つの分割部分（Ａ，Ｂ）を有する１つの裁断部（２）から成っており、前記２つの分割部分（Ａ，Ｂ）はそれぞれ、前記折り畳み線（Ｆ１，Ｆ２）から、当該分割部分（Ａ，Ｂ）の、前記折り畳み線（Ｆ１，Ｆ２）とは反対の側の縁部（４，５，６，７）まで、同じ長さを有しているものにおいて、
前記裁断部（２）の内側に、吸収パッド（３）が配置されていることを特徴とする、サニタリーバッグ。
【請求項２】
前記内側に、別の裁断部（１０）が前記吸収パッド（３）を覆って配置されている、請求項１記載のサニタリーバッグ。
【請求項３】
前記両裁断部（２，１０）は、それぞれ同じ大きさを有している、請求項１又は２記載のサニタリーバッグ。
【請求項４】
前記裁断部（２）は、液体に対して非透過性の材料から成っている、請求項１から３までのいずれか１項記載のサニタリーバッグ。
【請求項５】
前記裁断部（２）は、穿孔シート、通気性のＳＭＳシート、天然又は合成繊維から成る不織布、不織布及び通気性シート及び／又はＢＴＢＳシートから成る積層体から選択された、通気性の材料から成っている、請求項４記載のサニタリーバッグ。
【請求項６】
前記別の裁断部（１０）は、液体に対して透過性の材料から成っている、請求項２記載のサニタリーバッグ。
【請求項７】
液体に対して透過性の前記材料は、弾性的なフリースである、請求項６記載のサニタリーバッグ。
【請求項８】
前記両分割部分（Ａ，Ｂ）にわたって単一の前記吸収パッド（３）が延在しており、該吸収パッド（３）の縁部は、前記裁断部（２）の縁部（４，５，６）に対して内側にずらされている、請求項１から７までのいずれか１項記載のサニタリーバッグ。
【請求項９】
前記両裁断部（２，１０）は、縁部領域においてのみ、互いに結合されている、請求項２から８までのいずれか１項記載のサニタリーバッグ。
【請求項１０】
前記吸収パッド（３）は、配向及び／又は非配向繊維から成るウェブ材料から成り、特にポリマーから成るフリース及び／又はセルロースとセルロース系材料とから成るフリースから成っている、請求項１から９までのいずれか１項記載のサニタリーバッグ。
【請求項１１】
前記吸収パッド（３）は、セルロース繊維から成る繊維材料ウェブから製造されているか、又は空気流内で積層されて、２つのエンボスロールから成るカレンダを通して案内される、セルロース繊維のばら荷から製造されている、請求項１０記載のサニタリーバッグ。
【請求項１２】
前記裁断部（２，１０）が前記折り畳み線（Ｆ１）に沿って折り畳まれることにより重なり合った結合縁部（５ａ，５ｂ；６ａ，６ｂ）は、互いに水密に結合されている、請求項１から１１までのいずれか１項記載のサニタリーバッグ。
【請求項１３】
前記裁断部（２，１０）が前記折り畳み線（Ｆ２）に沿って折り畳まれた後に重なり合う結合縁部（５，６；７ａ，７ｂ）は、互いに水密に結合されている、請求項１から１２までのいずれか１項記載のサニタリーバッグ。
【請求項１４】
前記結合縁部（５，６）は、開口の開口縁部（４）から間隔をあけられている、請求項１３記載のサニタリーバッグ。
【請求項１５】
当該サニタリーバッグの前記開口は、前記開口縁部（４）と、該開口縁部（４）に突き当たる部分（１６）とから形成される、請求項１４記載のサニタリーバッグ。
【請求項１６】
前記結合縁部（５，６）の上側の部分に、結合部材（１２）が配置されている、請求項１から１５までのいずれか１項記載のサニタリーバッグ。
【請求項１７】
一方の閉鎖縁部（６）が、他方の閉鎖縁部（５）に向かって折り返されて、この位置で位置固定される、請求項１から１６までのいずれか１項記載のサニタリーバッグ。
【請求項１８】
請求項１から１７までのいずれか１項記載のサニタリーバッグの、失禁用製品としての使用。
【発明の詳細な説明】
【技術分野】
【０００１】
本発明は、身体部分、特に陰茎の少なくとも一部を収容するためのサニタリーバッグに関する。
【０００２】
市場では、例えば尿等の体液を吸収するための多数の製品が知られている。特に、パッド、乳児及び幼児用おむつ、並びに失禁用おむつが挙げられる。これらの製品に共通するのは、一般に、いわゆる「ユニセックス製品」として市場に出回っていて、基本形状は、人の体格に適合されている、という点である。更に、特別に女性用に開発された製品が多数存在するのに対して、男性用に開発された補助手段は、ほぼ知られていないか、装着快適性が全く提供されないように形成されている。
【０００３】
例えばドイツ連邦共和国特許第６９８０９６６６号明細書から公知の男性用の尿吸収パッドは、開口を備えたバッグから形成されており且つ少なくとも１つの層材シートから成っている。この層材シートは、液体透過性の内層と、液体非透過性の外層と、これら両方の層間に設けられた吸収核とを有している。このバッグは、陰茎を開口に挿入することにより陰茎に装着することができる。この場合は、平らな又は線状の弾性部材が対を成して開口縁部に沿って配置されているので、これらの弾性部材部材が屈曲変形された状態では、弾性的な戻し力により、陰茎を締め付けることになる。
【０００４】
ドイツ連邦共和国特許出願公開第１０２００８０２０６０６号明細書に開示された、冒頭で述べた形式のサニタリー製品は、身体部分に被せる帽子状の基体を有しており、この場合、基体は身体部分よりも大きな開口を有しており、且つ基体は急峻な上り勾配を有する側面を有しており、この側面は、頂点を過ぎると下方に向かってなだらかに傾斜する縁部に移行しており、更に、基体は折返し部を有しており、この折返し部を、身体部分を覆っている基体領域の上に折り返して重ね合わせることにより、開口を縮小することができるようになっている。一般に、基体は円錐形である。
【０００５】
従来技術から公知の製品に共通するのは、工業的な製造方法を手間のかかるものにし、延いてはより高価にする形状を有している、という点である。
【０００６】
よって本発明の根底を成す課題は、単純な幾何学形状から成っていて、高速機械を用いても、簡単且つ廉価な製造を可能にする、冒頭で述べた形式のサニタリーバッグを提供することにある。
【０００７】
つまり本発明の対象は、身体部分、特に陰茎の少なくとも一部を収容するためのサニタリーバッグであって、このサニタリーバッグは少なくとも、それぞれ四角の形状を有し且つ折り畳み線に沿って折り畳まれた２つの分割部分Ａ及びＢを備える１つの裁断部から成っており、前記両分割部分はそれぞれ、前記折り畳み線から、該折り畳み線とは反対の側の縁部まで、同じ長さを有しており、前記裁断部の内側に、吸収パッドが配置されていることを特徴とする。
【０００８】
本発明によるサニタリーバッグは、所定の折り畳み線に沿って折り畳まれた１つの裁断部から成っており、この場合、この折り畳まれた形状が、サニタリーバッグの外形を形成している。裁断部は、一般にウェブ材料から得られる。高速機械での製造を可能にし、且つ裁断くず、つまり裁断部が切り出される材料の、利用不可能な残りを最小限に抑えるために、裁断部はできるだけ単純な幾何学形状を有している。好適には、前記分割部分はそれぞれ四角の形状を有している。
【０００９】
好適な構成では、裁断部は正方形又は長方形の形状を有している。この形状は、他の形状におけるよりも、発生する裁断くずが少ない、という利点を有している。
【００１０】
裁断部は折り畳み線に沿って折り畳まれ、これにより前記分割部分が互いに重ね合わされる。裁断部の、折り畳み線に対向して位置する縁部は、身体部分を収容するための開口を形成する。好適には、前記分割部分はそれぞれ、折り畳み線から該折り畳み線とは反対の側の縁部まで、同じ長さの辺を有している。
【００１１】
裁断部の形状が正方形又は長方形の場合、つまり４つの直角を有している場合、折り畳み線は、サニタリーバッグの底部に位置していてよい、つまり裁断部の、折り畳み線に対向して位置する縁部が、身体部分を収容する開口を形成していてよい。又は折り畳み線は、開口に対して直角に位置している。裁断部の形状が長方形又は正方形の場合、裁断部は前記両折り畳み線のうちの一方に沿って折り畳まれてよい。裁断部の形状が四角形の場合、分割部分はそれぞれ台形の形状を有しており、折り畳み線は本発明による製品の底部部分を形成している。
【００１２】
分割部分の、折り畳み線で突き当たる、重ね合わされた縁部は、互いに結合される。この結合部は裁断部の材料に応じて、異なって形成されていてよい。縁部は、例えば接着又は溶接によって、いくつかのケースでは縫合によっても互いに結合され得る。好適には、縁部の前記結合部は水密なので、縁部の前記結合部を介した体液の流出は概ね、可能な限り完全に回避される。
【００１３】
好適な構成では、前記結合縁部は、開口の開口縁部から間隔をあけられている、すなわち、結合部は開口縁部のなお手前で終わっている。これにより、溶接シームから開口までの一部分が開いたままとなり、その結果、開口が拡張されることになる。この拡張により、開口内への陰茎の挿入、つまり本発明によるサニタリーバッグの取扱いが容易になる。
【００１４】
裁断部の材料は、液体に対して非透過性であることが望ましく、尿又は別の体液が本発明によるサニタリーバッグを通じて衣服の方に浸透し、衣服を汚すことは回避したい。最適な装着快適性に関して好適なのは、裁断部が通気性の材料、即ち、水蒸気に対しては透過性であるが、液体に対しては非透過性の材料から成っている場合である。裁断部用の材料は例えば、穿孔された２次元及び／又は３次元シート、通気性のＳＭＳ、天然又は合成繊維から成る不織布（フリース）等の通気性シート、及び／又は汎用の失禁用製品の外面の製造用にも知られているような、不織布と通気性シート等の、異なる複数の材料から成る積層体（BTBS-Filme = breathable film textile backsheet）であってよい。
【００１５】
裁断部の内側には、本発明に基づき吸収パッドが配置されている。この吸収パッドは少なくとも、前記両分割部分のうちの一方の分割部分の一部にわたって延在しており、好適には吸収パッドは両分割部分にわたって延在している。但し好適には、吸収パッドは縁部に対して内側にずらされている。単一又は複数の吸収パッドが、裁断部に配置され得る。好適な構成では、単一の吸収パッドは両方の分割部分Ａ及びＢにわたって延在しており、この場合、吸収パッドの縁部は、両分割部分Ａ，Ｂの縁部に対して内側にずらされている。吸収パッドと、縁部との間の間隔は、重なり合う閉鎖縁部を形成する縁部に関して、これらの重なり合った縁部／辺が吸収パッドを内包することなく互いに結合され得る程度の大きさであることが望ましい。これに比べて、吸収パッドの開口縁部までの間隔は、やや大きくてよく、この間隔は、身体部分に対する支持面を形成するものなので、良好な装着快適性が保証されているように選択することが望ましい。
【００１６】
１つの可能な構成では、本発明によるサニタリーバッグは多層に形成されていて、一般に外側に向けられる第１の裁断部と、内側、つまり身体部分の方に設けられた吸収パッドの他に、吸収パッドを覆って配置された別の裁断部を有している。この裁断部は、好適には液体に対して透過性の材料から成っている。体液は、この別の裁断部を介して吸収パッドに浸透する。この別の層の役目は、体液を身体部分から吸収パッドの方に迅速に搬送することであり、吸収パッドにおいて液体は吸収され且つ蓄積される。第１の裁断部と別の裁断部とは、好適には同じ大きさを有している。吸収パッドは、両裁断部によって包囲される。両裁断部は、例えば超音波を用いた溶接による適当な結合を介して、互いに結合され得る。これらの裁断部を互いに水密に結合することは必要とされていない。裁断部は、吸収パッドよりも大きいことが望ましく、これにより、裁断部の縁部を結合する際に、吸収パッドが一緒に内包されないようになっている。
【００１７】
別の裁断部の材料は、好適には液体に対して透過性の材料であり、例えばフリース、好適には伸縮可能なポリプロピレンフリース／ポリエチレンフリースである。この伸縮性の利点は、吸収体が液体を吸収して、吸収体の体積が増大しても、別の裁断部の表面積が変化して、吸収体にスペースが与えられるので、別の裁断部又は外側に向けられた裁断部が裂断することはない、という点にある。
【００１８】
この理由から、吸収核が、外側の裁断部と別の裁断部とにより形成される容積を有する体積より、やや小さくても有利である、ということが判った。
【００１９】
この吸収パッドは、体液を受容し且つ持続的に吸収することに役立つ。身体部分に対する濡れ戻りは、好適には概ね回避されることが望ましい。よってこの吸収パッドは、好適には尿等の体液を吸収するのみならず、蓄積することもできる材料から形成される。良好に適しているのは、配向及び／又は非配向繊維から成る材料、特にセルロース及びセルロース系材料から成るフリース、並びに合成吸収材料である。吸収パッドは、好適にはエアレイド等の、セルロース繊維から成るフリースである。
【００２０】
吸収核の吸収性は、この吸収核が高吸水性高分子から成る粒子を含有している場合に高められる。これらの粒子は、例えば吸収核の製造時に、直接に添加されてよい。
【００２１】
１つの可能な構成では、吸収パッドはセルロース繊維から成る繊維材料ウェブから製造されているか、又は空気流内で積層されて、２つのエンボスロールから成るカレンダを通して案内される、セルロース繊維のばら荷（フラッフパルプ）から製造されている。押圧領域内にエンボス模様が生ぜしめられながら、繊維はバインダ無しで点状又は線状にカレンダ処理されて結合される。特に適しているのは、ヨーロッパ特許第１０３２３４２号明細書に記載された方法で製造される吸収核である、ということが判った。
【００２２】
別の適した材料は、例えばヨーロッパ特許出願第２４４４０４６号明細書に記載されているような、ハニカム構造を有するポリマー材料である。
【００２３】
吸収パッドは、上述したような吸収体から形成されてよく、この吸収体は、複数の液体透過性の層によってカバー状に取り囲まれていてよく、この場合、吸収体は、一方又は両方の層に位置固定されていてよいか、又は固定されずに、これらの層によって緩く包囲されているに過ぎない。
【００２４】
サニタリーバッグの裁断部における吸収パッドのずれを回避するためには、吸収パッドが裁断部に位置固定されていてよい。この位置固定は、点状又は全面的に、接着剤又は別の付着性材料を用いて行うことができる。一般に、裁断部の位置固定は不要であり、裁断部と吸収体との間の摩擦で十分である。
【００２５】
本発明の別の構成では、本発明によるサニタリーバッグは、開口を縮小し且つ開口の大きさを身体部分の外周に適合させるための手段を有している。適当な手段として、引張帯材、弾性的なゴムバンド、又は一方の結合縁部を他方の結合縁部に向かって折り返すことのできる結合手段が用いられる。
【００２６】
好適な構成では、一方の結合縁部は他方の結合縁部に向かって折り返され、その位置で位置固定される。位置固定するために、折り返された結合縁部は、例えばこの結合縁部が位置固定される点に付着する、接着剤又は別の付着手段を有していてよい。好適には、この付着は解離可能であることが望ましい。別の構成では、結合手段として突出部が、折り返されるべき結合縁部に取り付けられており、この突出部は、折り返された結合縁部を位置固定して、開口を調節された大きさに保つ、適当な付着手段を有している。適当な結合手段の例は、弾性的な面ファスナや非弾性的な面ファスナ、及び弾性的な接着帯材や非弾性的な接着帯材等である。この、一方の結合縁部が他方の縁部に向かって折り返される構成は、身体部分を支持する上方の縁部が平滑に保たれていて、ひだをつけられないことにより、より高い装着快適性が得られる、という利点を有している。
【図面の簡単な説明】
【００２７】
【図１】使用可能なサニタリーバッグの斜視図である。
【図２】サニタリーバッグの第１の実施形態の、まだ折り畳まれていない形状を示した平面図である。
【図３】サニタリーバッグの第２の実施形態の、まだ折り畳まれていない形状を示した図である。
【図４】サニタリーバッグの第３の実施形態の、まだ折り畳まれていない形状を示した図である。
【図５】図４に示したサニタリーバッグを、折り畳み線に沿って折り畳んだところを示す図である。
【図６】図４に示したサニタリーバッグが閉じられた形状を示す図である。
【図７】サニタリーバッグの第３の実施形態の、まだ折り畳まれていない形状を示した図である。
【図８】図７に示した実施形態の、折り畳まれて使用可能な形状を示した図である。
【図９】サニタリーバッグの別の構成と、結合シームとを示す図である。
【図１０】図２、図３、図４及び図７に示した線Ｓ−Ｓに沿って断面した図である。
【図１１】サニタリーバッグの第４の実施形態の、まだ折り畳まれていない形状を示した図である。
【図１２】図１１に示した実施形態の、折り畳まれて使用可能な形状を示した図である。
【００２８】
以下に、本発明の実施の形態を図面につき詳しく説明する。
【００２９】
図２には、サニタリーバッグ１の可能な実施形態が、まだ折り畳まれていない、使用不可能な状態で示されている。全体的に四角形の裁断部２が、後の折り畳み線Ｆ１に沿って、この折り畳み線Ｆ１に対して対称的な、２つの方形の分割部分Ａ，Ｂに分割されている。図示の実施形態では、分割部分Ｂにのみ、後の内面側に吸収パッド３が配置されている。吸収パッド３は、折り畳み線Ｆ１から、又は折り畳み線Ｆ１から僅かに間隔をあけて、サニタリーバッグの後の開口縁部４に向かって延在している。
【００３０】
裁断部２は、まず最初に折り畳み線Ｆ１に沿って折り返される。次いでそのとき互いに重なり合う各側縁部５ａ，５ｂ若しくは６ａ，６ｂが、自体公知の形式で、例えば接着、溶接又は縫合により互いに結合される。
【００３１】
折り畳んで閉じることにより、１つの辺若しくは縁部に沿ってのみ開いた、すなわち開口１１を有する袋若しくはバッグが形成される。開口縁部は、縁部４，７である。折り畳み線Ｆ１は、袋の底部を形成しており且つ開口１１とは反対の側に配置されている。
【００３２】
図３には、本発明によるサニタリーバッグ１の第２の可能な実施形態が示されている。裁断部２自体は、図２に示した裁断部２と同じ形状を有しているが、この裁断部２の両分割部分Ａ，Ｂの、後の内面側には、各１つの平らな吸収体３が位置している。この場合、これらの吸収体３はそれぞれ、側縁部５ａ，６ａ及び５ｂ，６ｂに対して中心に配置されているが、中心から外れて配置されていてもよい。
【００３３】
図４に示した第３の構成では、裁断部２が、それぞれ台形の形状を有する２つの分割部分Ａ，Ｂにより形成される。台形の２つの平行な辺のうちの短い方は、折り畳み線Ｆ１において互いに突き合わされている。この裁断部２も、他の全ての実施形態の場合と同様に、材料ロールから繰り出されたウェブ材料から成っていてよい。
【００３４】
図４に示した第３の実施形態では、裁断部２の内面側において単一の吸収パッド３が、折り畳み線Ｆ１を横切って両分割部分Ａ，Ｂの広範にわたって延在している。この裁断部２もやはり、折り畳み線Ｆ１に沿って折り返される。互いに突き合わされた結合縁部５ａ，５ｂ若しくは６ａ，６ｂは、自体公知の形式で互いに結合される。裁断部２の折返しは、好適には長方形として形成された吸収パッド３が、形成されるサニタリーバッグの内面側に位置するように行われる。開口１１は、両開口縁部４ａ，４ｂによって形成される。
【００３５】
図５には、図４に示したサニタリーバッグを使用することができるように準備した、サニタリーバッグの最終的な形状が示されている。裁断部２が折り畳み線Ｆ１に沿って折り返されて、結合縁部５ａ，５ｂ，６ａ，６ｂが互いに重なり合って自体公知の形式で互いに結合されており、開口１１を備える台形の袋形状が生ぜしめられている。好適には長方形として形成された平らな吸収パッド３は、内側に位置するように配置されている。吸収パッド３は、両分割部分Ａ，Ｂにわたって延在しており、延いては折り畳み縁部Ｆ１に合致する袋の底部にもわたって延在している。但し、吸収パッド３の長さは、開口を画成する両縁部４ａ，４ｂのそれぞれに対して、所定の間隔があく程度のものである。
【００３６】
サニタリーバッグの、開口１１に向かって広がる台形に基づいて、三角形の折返し部１３が形成される。この折返し部１３は、図６に示すように使用に際しては折り返され、これにより、開口１１を身体部分の大きさに調節することができるようになっている。このためには、開口１１に対して斜めに延在する結合縁部５が、他方の結合縁部６に向かって折り返され、次いでこの折り返された位置で、位置固定式の結合部材１２により、サニタリーバッグの外面に固定される。
【００３７】
使用については、サニタリーバッグ１を図５に示した状態で、開口１１を通して身体部分に装着する。次いで三角形の折返し部１３を、他方の結合縁部６に向かって折り畳み、これにより、裁断部２により形成された中空空間が、身体部分、例えば男性の陰茎を、不動に取り囲む。そのためには結合部材１２が、裁断部の外面の適当な位置に位置固定される。この場合、身体部分から流出することのある体液、例えば尿が、サニタリーバッグ内に流入して、吸収パッド３により吸収される。結合部材１２による位置固定は、サニタリーバッグを問題無く再び取り外すために、好適には再度解離可能である。
【００３８】
但しサニタリーバッグは、特別な結合部材又は位置固定手段無しでも、身体部分に保持され得る。開口１１を、身体部分の外周に適合させ、且つ場合によってはユーザに、サニタリーバッグがずれることはない、という感覚を与えるためには、開口１１を形成する縁部４ａ，４ｂに沿って、又はこれらの縁部４ａ，４ｂから短い間隔をあけて、裁断部２の外側又は内側に、相応の予荷重によって開口１１を小さく保つ、弾性的な材料が取り付けられていてよい。
【００３９】
図９によれば、縁部４ａ，４ｂに沿って、つまり開口１１を取り囲むように、周方向に軽く予荷重をかけられた状態の弾性的な帯材を裁断部２の前記縁部部分４ａ，４ｂに通して、開口１１のサイズを可変にすることも可能である。
【００４０】
図７及び図８に示した実施形態では、吸収パッド３は、両方の分割部分Ａ及びＢにわたって一体的に、且つ開口に対して横方向に延在する裁断部２の折り畳み線Ｆ２を覆って延在している。この場合も裁断部２は、開口用の縁部４に対して直角を成す折り畳み線Ｆ２に沿って折り畳まれる。両側縁部５，６、並びにバッグの底部を形成する両縁部７ａ，７ｂは、それぞれ互いに結合される。図示の実施形態では、吸収パッド３は裁断部２のほぼ全高にわたって延在しており、特に、縁部７ａ，７ｂにより形成される底部付近まで延在している。但し、吸収パッド３は、鉛直方向の縁部５，６、並びに底部縁部７ａ，７ｂに対して間隔を置かれており、これらの縁部５，６，７ａ，７ｂ若しくは縁部領域の結合部において、吸収パッド３は一緒には把持されない、つまり一緒には内包されないようになっている。開口縁部４までの縁部領域は、身体部分に対するサニタリーバッグの支持面１５を形成する。この支持面１５の長さによって、開口１１のサイズも確定される。
【００４１】
図１、図７及び図８に示した実施形態における結合縁部５，６若しくは７ａ，７ｂ、並びに図２〜図６に示した実施形態における結合縁部５ａ，５ｂ，６ａ，６ｂは、従来技術から公知の慣例の方法によって互いに結合される。これらの結合縁部は、体液がこれらの縁部を介して流出することを阻止するために、好適には液密であることが望ましい。このような結合部は、例えば裁断部２，１０の辺若しくは縁部が互いに溶接されることにより得られる。溶接は、例えば裁断部が熱可塑性材料から成っている場合に可能であり、重なり合った縁部が、熱を用いることで溶融されて、互いに溶け合うことにより結合し合う。
【００４２】
図１及び図８に示した特別な構成では、結合縁部は底部に沿って、且つ折り畳み縁部Ｆ２に対して平行に延びる鉛直方向の結合縁部５，６に沿って延在している。図１及び図８に示した実施形態では、鉛直方向の両縁部５，６の結合部の結合は、底部側の結合縁部７ａ，７ｂを起点として、開口縁部４まで全長にわたっては行われていない。むしろ、結合は開口縁部４の手前で間隔をおいて終了しているので、溶接シームから開口１１まで延在する縁部部分１６は、開いたままである。この、側方に対して閉じられていない縁部部分１６は、開口１１の拡張部のように働くので、サニタリーバッグの取扱いが簡単になる。
【００４３】
同様に図１及び図８では、縁部５又は縁部６の領域内で縁部部分１６の高さに、結合部材１２を取り付けることができる。この結合部材１２は、開口１１のサイズを適合させて閉じるように、縁部に対向して位置する面１５に固定される。結合部材１２は、好適には再度取り外し可能であり、例えば面ファスナ又は接着閉鎖部材である。結合部材１２は、その長手方向において弾性的に形成されていてよく、これにより、使用時に開口１１のサイズが、身体部分に更に良好に適合するようになっている。
【００４４】
図９に示したサニタリーバッグの実施形態では、鉛直方向の縁部５，６が、開口１１の近傍まで結合、つまり閉鎖されている。身体部分に対する開口サイズの適合は、サニタリーバッグの内側又は外側において縁部４付近に、又は縁部４に直接に取り付けられた弾性材料を介して行うことができる。１つの可能な構成では、縁部４の近傍に、弾性的な引張帯材１４が通される。
【００４５】
最も簡単な構成では、袋状のサニタリーバッグは、内部に吸収体３が配置された１つの裁断部を有している。吸収体は、放出された体液を吸収して蓄える。裁断部２は、体液が外部に、つまり衣服に向かって流出して、衣服を汚すことを阻止することが望ましい。
【００４６】
同様に、本発明によるサニタリーバッグは、全ての実施形態において多層に形成されていてもよい。１つの可能な構成では、別の裁断部１０が内側に、吸収体を覆うように配置されている。つまり、この別の裁断部１０は、使用状態においてサニタリーバッグの内面若しくは内壁を形成している。これについては図１０にＳ−Ｓ線に沿った断面図が示されており、サニタリーバッグの前記のような３層構造を示している。吸収核３は、サニタリーバッグの外向きの表面を形成する裁断部２と、サニタリーバッグの内向きの表面を成す別の裁断部１０とから形成される。裁断部２の縁部５ａ，５ｂ，６ａ，６ｂ並びに別の裁断部１０の縁部５ａ，５ｂ，６ａ，６ｂは、結合部１７で互いに結合されて、吸収体３を取り囲んでいる。裁断部２の縁部と、別の裁断部１０の縁部との結合は、自体公知の形式で行うことができる。結合部１７が水密であることは必要とされない。好適な実施形態では、縁部は緩く、しかし解離不能に互いに結合されているので、比較的柔らかな結合縁部１７が形成される。開口縁部４の領域において、縁部１７は身体部分を支持しており、特にこの支持面に関して、柔らかく、肌に心地よい構造は有利である。図１０に示した断面図では、吸収体３は裁断部２，１０とは結合されずに、これらの裁断部２，１０によって包まれている。吸収体３を全面的又は部分面的に、一方の裁断部２，１０に結合すること、又は同時に両方の裁断部２，１０に結合することも可能である。
【００４７】
吸収体を位置固定する別の手段は、この吸収体３を裁断部２，１０によって動かないように封じ込めること、つまり結合縁部５，６を吸収体ぎりぎりのところで、吸収体から少しだけ間隔をあけて結合することにある。
【００４８】
図１０に示した多層構造体が、折り畳み線Ｆ１又はＦ２に沿って折り畳まれると、結合縁部５，６及び７ａ，７ｂ若しくは縁部５ａ，５ｂ及び６ａ，６ｂが重ね合わされて、互いに結合され、サニタリーバッグが完成する。既に述べたように、前記結合部は、好適には水密である。
【００４９】
図１１及び図１２に示した実施形態は、図７及び図８に示した実施形態と、吸収パッド３の配置形式において相違している。この実施形態でも、吸収パッド３は両分割部分面Ａ及びＢと、裁断部２の折り畳み線Ｆ２とを覆って一体的に延在している。吸収パッド３は、開口縁部４の方向に見て、縁部５，６の結合シームの長さを超過している。図示の実施形態では、吸収パッド３は結合部材１２の上縁部に達している。
【００５０】
本発明によるサニタリーバッグは、好適にはストックローラから繰り出されて機械に供給されるウェブ材料から製造される。裁断部２、吸収パッド３並びに場合によっては設けられる別の層若しくは裁断部１０のための材料は、ローラに巻かれたウェブ材料として供給される。吸収パッド３は、裁断部２のウェブ材料上に置かれ、場合によって設けられる別の層は、別の裁断部１０として同時に、又は次のステップで、吸収パッド３の上に配置される。次の方法ステップにおいて、吸収パッド３と、裁断部２用のウェブ材料と、場合によっては設けられる別の裁断部１０用のウェブ材料とが、適当なサイズに裁断される。引き続く製造プロセスを簡単にするために、重なり合った縁部を互いに結合し、これにより、重なり合った裁断部のずれが防止される。結合は、例えば上で既に述べた超音波溶接によって行うことができる。
【００５１】
次いで、このようにして生産された裁断部を、折り畳み線Ｆ１若しくはＦ２に沿って折り畳んで、重ね合わされた縁部５ａ，５ｂ及び６ａ，６ｂ若しくは５，６及び７ａ，７ｂを互いに結合して、水密な結合部を形成する。好適には更に前もって、すなわち縁部を結合する前に、結合部材１２又は弾性材料１４を取り付ける。
【符号の説明】
【００５２】
１  サニタリーバッグ、  ２  裁断部、外側に位置する層、  ３  吸収パッド、  ４  開口縁部、  ５，５ａ，５ｂ，６，６ａ，６ｂ，７ａ，７ｂ  結合縁部、  ７  縁部、開口縁部、  １０  裁断部、内側に位置する層、  １１  開口、  １２  結合部材、  １３  折返し部、  １４  弾性材料、  １５  支持面、  １６  未閉鎖の縁部、  １７  結合部、  Ｆ１，Ｆ２  折り畳み縁部
【図１】
2018187428.tif 000003
【図２】
2018187428.tif 000004
【図３】
2018187428.tif 000005
【図４】
2018187428.tif 000006
【図５】
2018187428.tif 000007
【図６】
2018187428.tif 000008
【図７】
2018187428.tif 000009
【図８】
2018187428.tif 000010
【図９】
2018187428.tif 000011
【図１０】
2018187428.tif 000012
【図１１】
2018187428.tif 000013
【図１２】
2018187428.tif 000014
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
陰茎の少なくとも一部を収容するためのサニタリーバッグであって、少なくとも、それぞれが四角形を有し且つ折り畳み線（Ｆ２）に沿って折り畳まれた２つの分割部分（Ａ，Ｂ）を有する１つの裁断部（２）から成っており、前記２つの分割部分（Ａ，Ｂ）はそれぞれ、前記折り畳み線（Ｆ２）から、当該分割部分（Ａ，Ｂ）の、前記折り畳み線（Ｆ２）とは反対の側の縁部（５，６）まで、同じ長さを有しているものにおいて、
前記裁断部（２）の内側に、吸収パッド（３）が配置されており、
前記吸収パッド（３）は、前記両分割部分（Ａ，Ｂ）にわたって一体的に、かつサニタリーバッグの開口縁部（４）に対して横方向に延在する前記折り畳み線（Ｆ２）を覆って延在しており、
前記裁断部（２）の前記両分割部分（Ａ，Ｂ）が前記折り畳み線（Ｆ２）に沿って折り畳まれることにより重なり合った結合縁部（５，６；７ａ，７ｂ）は、互いに水密に結合されており、
前記折り畳み線（Ｆ２）に対して平行に延びる前記結合縁部（５，６）の結合は前記開口縁部（４）の手前で間隔をおいて終了していて、結合部材（１２）が前記開口縁部（４）から前記折り畳み線（Ｆ２）に対して平行に延びる前記結合縁部（５，６）までの領域に取り付けられており、該結合部材（１２）は、開口縁部（４）の開口（１１）のサイズを適合させて閉じることができるように、前記開口縁部（４）に隣接するサニタリーバッグの面に取り外し可能に固定される
ことを特徴とする、サニタリーバッグ。
【請求項２】
前記内側に、別の裁断部（１０）が前記吸収パッド（３）を覆って配置されている、請求項１記載のサニタリーバッグ。
【請求項３】
前記両裁断部（２，１０）は、それぞれ同じ大きさを有している、請求項２記載のサニタリーバッグ。
【請求項４】
前記裁断部（２）は、液体に対して非透過性の材料から成っている、請求項１から３までのいずれか１項記載のサニタリーバッグ。
【請求項５】
前記裁断部（２）は、穿孔シート、通気性のＳＭＳシート、天然又は合成繊維から成る不織布、不織布及び通気性シートから成る積層体から選択された、通気性の材料から成っている、請求項４記載のサニタリーバッグ。
【請求項６】
前記別の裁断部（１０）は、液体に対して透過性の材料から成っている、請求項２記載のサニタリーバッグ。
【請求項７】
液体に対して透過性の前記材料は、弾性的である、請求項６記載のサニタリーバッグ。
【請求項８】
前記吸収パッド（３）の縁部は、前記裁断部（２）の縁部（４，５，６）に対して内側にずらされている、請求項１から７までのいずれか１項記載のサニタリーバッグ。
【請求項９】
前記両裁断部（２，１０）は、縁部領域においてのみ、互いに結合されている、請求項２から８までのいずれか１項記載のサニタリーバッグ。
【請求項１０】
前記吸収パッド（３）は、配向及び／又は非配向繊維から成るウェブ材料から成っている、請求項１から９までのいずれか１項記載のサニタリーバッグ。
【請求項１１】
請求項１から１０までのいずれか１項記載のサニタリーバッグの、失禁用製品としての使用。
【外国語明細書】
2018187428.tif 000015
2018187428.tif 000016
2018187428.tif 000017
2018187428.tif 000018
2018187428.tif 000019
2018187428.tif 000020
2018187428.tif 000021
2018187428.tif 000022
2018187428.tif 000023
2018187428.tif 000024
2018187428.tif 000025
2018187428.tif 000026
2018187428.tif 000027
2018187428.tif 000028
2018187428.tif 000029
2018187428.tif 000030
2018187428.tif 000031
2018187428.tif 000032
2018187428.tif 000033
2018187428.tif 000034
2018187428.tif 000035